(57)【要約】      （修正有）【課題】大きさの異なる引抜対象物のいずれをも引抜ける引抜具を提供する。【解決手段】アンカーボルト４の固定ピン５である引抜対象物を把持する把持機構２と、把持機構２を介して引抜対象物に引抜力を伝達する伝達機構３とを備える引抜具１において、把持機構２は、引抜対象物の外周部を押圧して把持する把持部２２２と、把持部２２２を移動させる移動機構とを有し、伝達機構３は、把持機構２に連結されるネジ体３１とネジ体３１に螺合されるナット３２と、ネジ体３１とナット３２を介して把持機構２を支持する支持体３３を有する。【選択図】図２
2013022692.tif 000002
【特許請求の範囲】
【請求項１】
引抜対象物を把持する把持機構と、該把持機構を介して引抜対象物に引抜力を伝達する伝達機構とを備える引抜具において、
前記把持機構は、前記引抜対象物の外周部を押圧して把持する把持部と、該把持部を移動させる移動機構とを有することを特徴とする引抜具。
【請求項２】
前記引抜対象物は、アンカーボルトに挿通された固定ピンであり、
前記伝達機構は、前記把持機構に連結されるネジ体と、該ネジ体に螺合されるナットと、該ネジ体及びナットを介して把持機構を支持する支持体とを有し、
前記支持体は、前記ナットを係止する第１係止部と、所定位置に係止される第２係止部とを有し、
前記第２係止部が係止される所定位置は、アンカーボルトの中途部の位置であり、前記ナットが第１係止部に係止されるとともに、第２係止部がアンカーボルトの中途部の位置で係止される状態において、支持体は、ナットの回転によるネジ体の移動によって把持機構が移動するときに、把持部を介して引抜力が固定ピンに伝達するように、当該把持機構を支持するように構成されることを特徴とする請求項１に記載の引抜具。
【請求項３】
前記引抜対象物は、前記固定ピンが引抜かれた状態におけるアンカーボルトであり、
前記第２係止部が係止される所定位置は、アンカーボルトの施工面の位置であり、前記ナットが第１係止部に係止されるとともに、第２係止部がアンカーボルトの施工面の位置で係止される状態において、支持体は、ナットの回転によるネジ体の移動によって把持機構が移動するときに、把持部を介して引抜力がアンカーボルトに伝達するように、当該把持機構を支持するように構成されることを特徴とする請求項２に記載の引抜具。
【請求項４】
前記移動機構は、前記把持部を有する長尺状の第１部材に設けられる雄ネジ部と、前記雄ネジ部に螺合可能な雌ネジ部を有するとともに、所定の軸心回りに回転可能な筒状の第２部材とを有し、
前記第１部材は、前記第２部材がその軸心回りに回転することにより、前記雌ネジ部に螺合する雄ネジ部を介して所定方向に移動可能に構成されることを特徴とする請求項１乃至３のいずれか１項に記載の引抜具。
【発明の詳細な説明】
【技術分野】
【０００１】
本発明は、引抜具に関し、特に、アンカーボルトに挿通される固定ピンと、アンカーボルトとのそれぞれを基礎から引抜く引抜具に関する。
【背景技術】
【０００２】
従来、アンカーボルトを利用して、什器等を基礎に固定することが知られている。アンカーボルトは、軸心に固定ピンを通す挿通孔を有している。アンカーボルトは、基礎に設けられた孔にその基部が埋設される。そして、固定ピンがアンカーボルトに挿通されることで、アンカーボルトは、その基部が拡径して基礎に固定される。
【０００３】
什器等を移動して、基礎に固定されているアンカーボルトを除去する場合、アンカーボルトは、基礎の施工面に沿って切断されていた。しかしながら、アンカーボルトの切断に電動カッター等が利用されるので、大きな騒音が発生していた。そのため、騒音の発生が許容されない病院等では、アンカーボルトを切断する作業は容易でなかった。さらには、アンカーボルトが基礎の施工面に沿って切断されるので、施工面を傷つけてしまう恐れがあった。また、アンカーボルトを切断した後の切り屑が、施工面に散乱してしまっていた。
【０００４】
そこで、アンカーボルトを切断することなく、基礎から抜取る装置が知られている（例えば、特許文献１参照）。特許文献１に記載の装置では、まず、アンカーボルトに挿通された固定ピンが、ドリル刃を利用して完全に削り取られる。ドリル刃によって削り取られた固定ピンの削り屑は、ドリル刃の周囲を覆う案内具により保持される（例えば、段落００１８参照）。これにより、固定ピンの削り屑が施工面に散乱することを防止している。
【０００５】
ドリルを利用して固定ピンが完全に削り取られた後、抜取り具がアンカーボルトの抜取りに利用される。抜取り具は、アンカーボルトの先端側側面に設けられた雄ネジに螺合するアタッチメントと、アタッチメントに接続されたネジ棒と、ネジ棒に螺合して、アタッチメント及びネジ棒を支持する支持台とを備えている。
【０００６】
アタッチメントがアンカーボルトに螺合された後、ネジ体は、外部からの力によりその軸を中心に回転する。これにより、ネジ体は、支持台に対して抜取り方向に移動する。そして、ネジ体に接続されているアタッチメントは、同様に抜取り方向に移動することで、アンカーボルトを抜取り方向に移動させている。
【先行技術文献】
【特許文献】
【０００７】
【特許文献１】実開平６−２０７６６号公報
【発明の概要】
【発明が解決しようとする課題】
【０００８】
しかしながら、特許文献１に記載の装置では、固定ピンの取除にドリル刃を利用するので、大きな騒音が発生する恐れがあった。また、固定ピンを取り除くドリル刃と、アンカーボルトを取り除く装置とは別体であるので、装置が大型化してしまっていた。
【０００９】
騒音を発生させず、装置を大型化しないためには、固定ピン及びアンカーボルトのいずれも引抜対象物として引抜くことができる装置が好ましい。しかしながら、特許文献１の装置では、アタッチメントをアンカーボルトに螺合させる必要があるので、アタッチメントの径を可変にすることができず、アンカーボルトと大きさの異なる固定ピンまで引抜くことはできなかった。
【００１０】
本発明は、斯かる事情に鑑み、大きさの異なる引抜対象物のいずれをも引抜ける引抜具を提供することを課題とする。
【課題を解決するための手段】
【００１１】
本発明に係る引抜具は、引抜対象物を把持する把持機構と、該把持機構を介して引抜対象物に引抜力を伝達する伝達機構とを備え、前記把持機構は、前記引抜対象物の外周部を押圧して把持する把持部と、該把持部を移動させる移動機構とを有する。
【００１２】
斯かる構成によれば、移動機構は、引抜対象物の外周部の位置に把持部を移動させる。すなわち、移動機構は、引抜対象物の外周部を押圧可能な位置に把持部を移動させる。これにより、把持機構は、大きさの異なる引抜対象物のそれぞれを把持できる。そして、把持部が引抜対象物を把持した後、伝達機構が把持機構を介して引抜対象物に引抜力を伝達する。これにより、引抜対象物が引抜かれる。
【００１３】
また、本発明に係る引抜具において、前記引抜対象物は、アンカーボルトに挿通された固定ピンであり、前記伝達機構は、前記把持機構に連結されるネジ体と、該ネジ体に螺合されるナットと、該ネジ体及びナットを介して把持機構を支持する支持体とを有し、前記支持体は、前記ナットを係止する第１係止部と、所定位置に係止される第２係止部とを有し、前記第２係止部が係止される所定位置は、アンカーボルトの中途部の位置であり、前記ナットが第１係止部に係止されるとともに、第２係止部がアンカーボルトの中途部の位置で係止される状態において、支持体は、ナットの回転によるネジ体の移動によって把持機構が移動するときに、把持部を介して引抜力が固定ピンに伝達するように、当該把持機構を支持するように構成されてもよい。
【００１４】
斯かる構成によれば、把持機構が引抜対象物である固定ピンを把持する。そして、支持体は、第１係止部においてナットを係止する。また、支持体は、第２係止部でアンカーボルトの中途部に係止される。ナットが第１係止部に係止された状態で回転すると、ナットに螺合されたネジ体が支持体に対して移動する。ネジ体が固定ピンを引抜く方向に移動することで、第１係止部は、ナットから押圧力を受け、第２係止部は、アンカーボルトの中途部から押圧力を受ける。これにより、支持体は、ネジ体の移動を固定ピンの引抜力として作用するように、ネジ体及び把持機構を支持できる。したがって、ネジ体で発生した引抜力は、把持機構を介して固定ピンに伝達され、アンカーボルトから固定ピンを引抜くことができる。
【００１５】
また、本発明に係る引抜具においては、前記引抜対象物は、前記固定ピンが引抜かれた状態におけるアンカーボルトであり、前記第２係止部が係止される所定位置は、アンカーボルトの施工面の位置であり、前記ナットが第１係止部に係止されるとともに、第２係止部がアンカーボルトの施工面の位置で係止される状態において、支持体は、ナットの回転によるネジ体の移動によって把持機構が移動するときに、把持部を介して引抜力がアンカーボルトに伝達するように、当該把持機構を支持するように構成されてもよい。
【００１６】
斯かる構成によれば、把持機構が引抜対象物であるアンカーボルトを把持する。そして、支持体は、第１係止部においてナットを係止する。また、支持体は、第２係止部でアンカーボルトの施工面に係止される。ナットが第１係止部に係止された状態で回転すると、ナットに螺合されたネジ体が支持体に対して移動する。ネジ体がアンカーボルトを引抜く方向に移動することで、第１係止部は、ナットから押圧力を受け、第２係止部は、アンカーボルトの施工面から同じ強さの押圧力を受ける。これにより、支持体は、ネジ体の移動をアンカーボルトの引抜力として作用するように、ネジ体及び把持機構を支持できる。したがって、ネジ体で発生した引抜力は、把持機構を介してアンカーボルトに伝達され、アンカーボルトの施工面からアンカーボルトを引抜くことができる。
【００１７】
また、本発明に係る引抜具において、前記移動機構は、前記把持部を有する長尺状の第１部材に設けられる雄ネジ部と、前記雄ネジ部に螺合可能な雌ネジ部を有するとともに、所定の軸心回りに回転可能な筒状の第２部材とを有し、前記第１部材は、前記第２部材がその軸心回りに回転することにより、前記雌ネジ部に螺合する雄ネジ部を介して所定方向に移動可能に構成されてもよい。
【００１８】
斯かる構成によれば、筒状に形成された第２部材が、その軸を中心に回動することで、雌ネジ部も回動する。雌ネジ部は、長尺状に形成された第１部材の周面に設けられる雄ネジに係合しつつ軸心回りに回動することで、第１部材を長手方向に移動させることができる。これにより、引抜対象物の外周部を押圧して把持すべく、第１部材を所定方向に移動させることができ、ひいては把持部を移動させることができる。
【発明の効果】
【００１９】
以上の如く、本発明に係る引抜具によれば、大きさの異なる引抜対象物のいずれをも引抜けるというすぐれた効果を奏する。
【図面の簡単な説明】
【００２０】
【図１】本発明の一実施形態に係る引抜具の正面図を示す。
【図２】同実施形態に係る引抜具の一部断面図を示す。
【図３】同実施形態の図２に係る引抜具のＡ−Ａ断面図を示す。
【図４】同実施形態の引抜具に係る他の一部断面図を示す。
【発明を実施するための形態】
【００２１】
以下、本発明に係る引抜具における一実施形態について、図１〜図４を参酌して説明する。
【００２２】
本実施形態において、引抜対象物は、アンカーボルト４、又はアンカーボルト４内に挿通された固定ピン５である。また、アンカーボルト４には雄ネジ部４１が設けられ、アンカーボルト４の中途部にはナット６が螺合されていてもよい。なお、固定ピン５は、釘状に構成されており、その頭部がアンカーボルト４の外径よりも小さい径で形成されている。また、頭部は、軸部よりも拡径されており、アンカーボルト４の端部に当接している。
【００２３】
図１及び図２に示すように、引抜具１は、引抜対象物を把持する把持機構２と、把持機構２を介して引抜対象物に引抜力を伝達する伝達機構３とを備える。
【００２４】
把持機構２は、伝達機構３に連結されて、引抜対象物を把持すべく設けられる。把持機構２は、引抜対象物を把持する複数（図例では３つ）の第１部材２２，２２，２２と、第１部材２２に係合する第２部材２３と、第１部材２２及び第２部材２３を保持する保持体２１と、保持体２１を覆うカバー２４とを有する。
【００２５】
第１部材２２は、その長尺形状の一端部の周面に設けられる雄ネジ部２２１と、引抜対象物の外周部を押圧して把持する把持部２２２と、保持体２１に当接して摺動する摺動部２２３とを有する。
【００２６】
第１部材２２のそれぞれは、その長手方向が、保持体２１の軸心方向に対して傾斜するように該保持体２１に保持される。第１部材２２のそれぞれは、長手方向に移動可能に保持体２１に保持される。
【００２７】
雄ネジ部２２１は、保持体２１に保持されると共に、第２部材２３に係合することで、その位置が規制される。第１部材２２に設けられる雄ネジ部２２１は、ピッチが同じになっている。
【００２８】
把持部２２２は、第１部材２２の長手方向の他端部に設けられる。把持部２２２は、引抜対象物の外周部を把持すべく、平坦状の把持面２２４を有する。そして、把持面２２４は、保持体２１の軸心方向に平行に形成されている。第１部材２２が長手方向に移動可能に保持されることで、図３に示すように、第１部材２２のそれぞれに設けられる把持面２２４も、移動可能に構成されている。
【００２９】
摺動部２２３は、把持部２２２において、把持面２２４とは反対側に設けられる。摺動部２２３が保持体２１の一部に当接して、摺動することにより、第１部材２２は、その長手方向に移動するように案内される。
【００３０】
第２部材２３は、環状に構成され、その軸心を中心に回動自在に構成されている。そして、第２部材２３は、外周面の一部がカバー２４に係合可能になっている。第２部材２３は、図示しないハンドルに係合可能な回転歯２３１と、第１部材２２の雄ネジ部２２１に係合する雌ネジ部２３２とを有する。
【００３１】
回転歯２３１は、第２部材２３の周方向に沿って複数形成される。回転歯２３１は、引抜対象物に対向する保持体２１の端部に向かって突出して設けられる。
【００３２】
雌ネジ部２３２は、３つの第１部材２２，２２，２２のそれぞれの雄ネジ部２２１，２２１，２２１に係合する。図示しないハンドルを用いて第２部材２３が順方向又は逆方向に回転されることで、雌ネジ部２３２は、３つの第１部材２２，２２，２２のそれぞれの雄ネジ部２２１，２２１，２２１のガイドとして機能する。
【００３３】
本実施形態において、第１部材２２の雄ネジ部２２１と第２部材２３の雌ネジ部２３２とは、第１部材２２をその長手方向に移動させる移動機構を構成している。
【００３４】
保持体２１は、第１部材２２及び第２部材２３を保持するためのものである。保持体２１は、引抜対象物よりも大きな内径を有する筒部２１１と、筒部２１１と把持機構２とを連結する軸部２１２と、第１部材２２を保持するフランジ部２１３とを有する。
【００３５】
筒部２１１は、一方の端部が軸部２１２により閉塞され、他方の端部が引抜対象物を挿通可能な径で開口する。また、筒部２１１は、第１部材２２を所定の方向にガイドするガイド部２１１ｂと、図示しないハンドルを支持するハンドル孔２１１ｃとを有する。
【００３６】
ガイド部２１１ｂは、筒部２１１の内面のうち、第１部材２２に当接する位置に設けられる。ガイド部２１１ｂは、筒部２１１の軸心方向から傾斜する面として設けられる。より詳しくは、ガイド部２１１ｂは、筒部２１１の開口側端部から、閉塞側端部に向かって、筒部２１１の内径を拡径するような面を有する溝であり、第１部材２２の傾斜方向に平行な溝として設けられる。
【００３７】
ハンドル孔２１１ｃは、筒部２１１の外周面に複数設けられる。各ハンドル孔２１１ｃは、筒部２１１の外周面の周方向において、所定の間隔で設けられる。
【００３８】
軸部２１２は、その一端部が伝達機構３の一部に連結される。軸部２１２は、その他端部が筒部２１１に一体に形成される。そして、軸部２１２の中心軸は、伝達機構３の中心軸に一致する。
【００３９】
フランジ部２１３は、軸部２１２の軸方向における中途位置に設けられる。フランジ部２１３は、軸部２１２の周囲で、軸部２１２の軸心から径外方向に突出して設けられる。そして、フランジ部２１３は、筒部２２１の外径よりも、より大きい径を有する。このフランジ部２１３は、第１部材２２を挿通可能な貫通孔２１３ａを有する。保持部２１は軸心を有し、その筒部２２１の軸心と一致し、軸部２１２の軸心とも一致する。また、保持部２１の軸心は、第２部材２３の軸心とも一致する。
【００４０】
貫通孔２１３ａは、その中心線が、保持体２１の軸方向に対して傾斜している。貫通孔２１３ａは、第１部材２２を挿通可能な径を有し、第１部材２２の一端側、すなわち、雄ネジ部２２１側の端部を係止する。貫通孔２１３ａは、第１部材２２を傾斜方向に移動自在に保持する。
【００４１】
カバー２４は、筒状に形成される。カバー２４は、第２部材２３の外周部の一部と、軸部２１２とを覆うべく設けられる。
【００４２】
伝達機構３は、把持機構２に連結されるネジ体３１と、ネジ体３１に螺合されるナット３２と、ネジ体３１及びナット３２を介して把持機構２を支持する支持体３３とを有する。
【００４３】
ネジ体３１は、その一端が保持体２１の軸心２１２に連結され、他端が自由端になっている。ネジ体３１は、引抜対象物を引抜くのに十分な長さを有する。ネジ体３１は、ナット３２に螺合される一のネジ体と、把持機構２の軸部２１２に連結される他のネジ体との２つのネジ体が結合部３１１（例えばナット）で結合されて１つのネジ体３１とされる構成を有する。そして、ネジ体３１の中心軸は、軸部２１２の中心軸と一致している。
【００４４】
ナット３２は、六角ナットであり、ネジ体３１に螺合されて、支持体３３に係止可能に構成されている。また、ナット３２は、支持体３３に係止されることで、把持機構２及びネジ体３１の支持体３３からの脱落を防止している。
【００４５】
支持体３３は、長尺状の枠体であり、把持機構２を内側に位置する状態で支持する。支持体３３は、その長手方向に沿って、把持機構２を移動自在に保持する。支持体３３は、長手方向に設けられる第１辺３３ａ及び第２辺３３ｂと、短手方向に設けられる第３辺３３ｃ及び第４辺３３ｄとを有する。支持体３３は、第３辺３３ｃに設けられる第１貫通孔３３１と、第４辺３３ｄに設けられる第２貫通孔３３２と、ナット３２を係止する第１係止部３３３と、ナット６又は基礎の施工面７に係止される第２係止部３３４とを有する。
【００４６】
第１貫通孔３３１は、ナット３２の外径よりも小さな径を有する。また、第１貫通孔３３１は、ネジ体３１の径よりも十分に大きな径を有している。これにより、第１貫通孔３３１は、ネジ体３１をその軸方向に移動自在に挿通すると共に、支持体３３の外面側でネジ体３１に螺合されたナット３２に第１貫通孔３３１の縁部が当接する構成になっている。したがって、第１貫通孔３３１は、ネジ体３１の他端の脱落を防止している。
【００４７】
第２貫通孔３３２は、第１貫通孔３３１の軸心方向で一致する位置に設けられ、引抜対象物を挿通可能な程度の径で設けられる。また、第２貫通孔３３２は、アンカーボルト４の外径よりも大きな径を有している。これにより、第２貫通孔３３２は、引抜対象物であるアンカーボルト４及び固定ピン５のいずれをも挿通可能になっている。
【００４８】
第１係止部３３３は、第１貫通孔３３１の縁部に設けられる。第１係止部３３３は、ナット３３２の径よりも小さな径を有するので、ネジ体３１に螺合されたナット３２を係止可能になっている。
【００４９】
第２係止部３３４は、第２貫通孔３３２の縁部に設けられる。例えば、第２係止部３３４は、ナット６の径よりも小さな径を有するので、アンカーボルト４に螺合されたナット６に係止可能になっている。
【００５０】
本実施形態に係る引抜具１の構成については以上の通りであり、次に、本実施形態に係る引抜具１の作用について説明する。
【００５１】
まず、図２に示すように、引抜具１は、アンカーボルト４に挿通されている固定ピン５を引抜くべく利用される。第２貫通孔３３２は、アンカーボルト４及び固定ピン５が挿通される。そして、第２貫通孔３３２がナット６の位置までアンカーボルト４及び固定ピン５を挿通することで、第２係止部３３４は、アンカーボルト４の中途部に位置するナット６に係止される。
【００５２】
そして、第２貫通孔３３２に挿通された固定ピン５が、筒部２１１に挿入される。第２部材２３は、ハンドル孔２１１ｃに支持された図示しないハンドルの軸が回転することで、ハンドルの歯が回転歯２３１と噛み、ハンドルの回転力が回転歯２３１に伝えられることでその軸心回りに回転する。
【００５３】
第２部材２３が回転すると、雌ネジ部２３２が、その軸心回りに回転する。雌ネジ部２３２は、３つの第１部材２２，２２，２２の雄ネジ部２２１，２２１，２２１と噛み合って係合されており、雌ネジ部２３２の回転を雄ネジ部２２１，２２１，２２１のそれぞれに伝える。雄ネジ部２２１は、雌ネジ部２３２の回転に応じて、第１部材２２を長手方向に移動させる。このとき、各第１部材２２は、摺動部２２３がガイド部２１１ｂに沿って摺動することで、第１部材２２の傾斜方向に移動する。そして、第１部材２２の把持部２２２は、固定ピン５の頭部の外周部を押圧する。
【００５４】
ここで、第１部材２２は、上記のように、筒部２１１の内周方向に等間隔で配置され、かつ各雄ネジ部２２１は、同一のピッチを有する。また、各第１部材２２は、保持体２１の軸心方向に対して傾斜して設けられている。これにより、雌ネジ部２３２が回転することで、把持面２２４は、把持面２２４同士の距離を変化させ、かつ相対的にそれらの位置を変えるように移動する。図３に示すように、把持面２２４，２２４，２２４は、アンカーボルト４及び固定ピン５のそれぞれの径に応じて相対的に移動することで、引抜対象物を３方向から確実に把持することができる。
【００５５】
３つの第１部材２２，２２，２２が固定ピン５の頭部の外周部を押圧して把持した状態で、図示しない六角レンチ等を利用して、ナット３２が順方向に回転される。これにより、ネジ体３１は、把持機構２を介して固定ピン５に引抜力を伝達する。そして、把持機構２は、アンカーボルト４から固定ピン５を引抜くことができる。
【００５６】
固定ピン５を引抜いた後、回転歯２３１が図示しないハンドルによって回転され、第１部材２２が、ガイド部２１１ｂに沿って移動することで、固定ピン５から離れる。すなわち、第１部材２２は、傾斜方向に沿って離間する方向に移動することで、把持している固定ピン５を取り外すことができる。
【００５７】
次に、図４に示すように、アンカーボルト４が引抜かれる。まず、ナット６は、アンカーボルト４から取り外される。そして、第４辺３３ｄの第２係止部３３４は、基礎の施工面７に当接する。次に、筒部２１１の内部には、アンカーボルト４の端部が挿入される。
【００５８】
回転歯２３１がハンドルによって回転され、第１部材２２が傾斜方向に沿って移動することで、アンカーボルト４の外周部を押圧して把持する。この状態で、図示しない六角レンチ等を利用して、ナット３２が順方向に回転される。したがって、ネジ体３１は、把持機構２を介してアンカーボルト４に引抜力を伝達する。これにより、把持機構２は、基礎の施工面７からアンカーボルト４を引抜くことができる。
【００５９】
以上より、本実施形態に係る引抜具１は、把持機構２が引抜対象物の外周部を押圧して把持する把持部２２２と、該把持部２２２を移動させる移動機構とを有するので、径の異なる引抜対象物のいずれをも引抜くことができる。より詳しくは、第１部材２２の雄ネジ部２２１と、第２部材２３の雌ネジ部２３２とが移動機構として機能して、ガイド部２１１ｂに沿って第１部材２２の摺動部２２３を摺動させるので、把持部２２２の把持面２２４を第１部材２２の傾斜方向に移動させることができる。したがって、アンカーボルト４及び固定ピン５のいずれをも引抜くことができる。
【００６０】
また、本実施形態に係る引抜具１は、アンカーボルト４に挿通された固定ピン５を引抜く場合に、支持体３３の第１係止部３３３がナット３２を係止し、第２係止部３３４が、アンカーボルト４の中途部の位置、すなわちナット６の位置で係止される。第１係止部３３３には、ナット３２からの力が作用し、第２係止部３３４には、ナット６からの力が作用するので、ネジ体３１及び把持機構２が移動したとしても、支持体３３は移動しない。したがって、ナット３２の回転により、伝達機構３から把持機構２を介して固定ピン５に引抜力が伝達されて、アンカーボルト４から固定ピン５を引抜くことができる。
【００６１】
また、本実施形態に係る引抜具１は、固定ピン５が引抜かれた状態におけるアンカーボルト４を施工面７から引抜く場合に、支持体３３の第１係止部３３３がナット３２を係止し、第２係止部３３４が、アンカーボルト４の施工面７の位置で係止される。第１係止部３３３には、ナット３２からの力が作用し、第２係止部３３４には、施工面７からの力が作用するので、ネジ体３１及び把持機構２が移動したとしても、支持体３３は移動しない。したがって、ナット３２の回転により、伝達機構３から把持機構２を介してアンカーボルト４に引抜力が伝達されて、施工面７からアンカーボルト４を引抜くことができる。
【００６２】
また、本実施形態に係る引抜具１は、移動機構が雄ネジ部２２１と雌ネジ部２３２とで構成され、第２部材２３がその軸心回りで回転することで、雌ネジ部２３２が回転される。雌ネジ部２３２が回転されることで、該雌ネジ部２３２に螺合する雄ネジ部２２１が移動されるので、第１部材２２が移動される。第１部材２２は、その摺動部２２３がガイド部２１１ｂに沿って移動されることで傾斜方向に移動し、把持面２２４を引抜対象物の外周部に応じて移動させる。したがって、把持面２２４は、引抜対象物の外周部を押圧して把持することができ、もって径の異なる引抜対象物を把持することができる。
【００６３】
なお、本発明に係る引抜具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６４】
例えば、上記実施形態に係る固定ピン５の取除きにおいて、アンカーボルト４にナット６が係止されている状態で説明したが、固定ピン５は、アンカーボルト４からナット６が取り外された状態で引抜かれてもよい。この場合、第２貫通孔３３２は、アンカーボルト４を施工面７まで挿通する。そして、第４辺３３ｄの第２係止部３３４は、施工面７により係止される。これにより、アンカーボルト４にナット６が螺合されている場合と同様に、固定ピン５を引抜くことができる。
【００６５】
また、上記実施形態に係る引抜具１においては、施工面７は、コンクリート面、山等の法面等であってよい。
【００６６】
また、上記実施形態に係る把持機構２は、３つの第１部材２２，２２，２２で説明されたが、把持機構２が有する第１部材２２の数は、３つに限定されない。例えば、把持機構２が１つの第１部材２２を有する場合、第１部材２２は、筒部２１１の内面とで引抜対象物を把持する構成であってよい。また、把持機構２が円弧状の１つの第１部材２２を有し、第１部材２２が、その径を変えて引抜対象物の外周部を押圧することで、引抜対象物を把持する構成であってよい。
【００６７】
また、上記実施形態に係る第１部材２２においては、把持部２２２が、固定ピン５とアンカーボルト４との間に挿入される爪部であってもよい。これにより、固定ピン５の引抜において、爪部が、固定ピン５の頭部とアンカーボルト４との間に噛んで頭部に引っ掛かる。そして、爪部が固定ピン５の頭部に引抜力を伝える。これにより、固定ピン５をより確実に引抜くことができる。また、アンカーボルト４の雄ネジ部４１に爪部が噛むので、アンカーボルト４をより確実に把持できる。
【００６８】
また、上記実施形態に係る第１部材２２においては、把持面２２４をローレット加工等することで、把持力を高めてもよい。これにより、把持面２２４が固定ピン５に引抜力を伝達する場合に、把持面２２４の固定ピン５への把持の信頼性を高めることができる。
【００６９】
また、上記実施形態に係る支持体３３においては、枠体として説明したが、第２貫通孔３３２がアンカーボルト４を挿通できる構成であれば、どのような構成であってもよい。例えば、第２貫通孔３３２を有する第４辺３３ｄが省略される構成であってよい。そして、第２係止部３３４は、施工面７に当接する支持体３３の位置、すなわち、第１辺３３ａ及び第２辺３３ｂの端部にそれぞれ設けられてもよい。
【００７０】
また、上記実施形態に係るネジ体３１及びナット３２においては、ラックとピニオンの組合せであってもよい。
【００７１】
また、上記実施形態では、第２貫通孔３３２がナット６の径よりも小さい径を有する場合で説明したが、第２貫通孔３３２は、ナットの６の径よりも大きく形成されていてもよい。ナット６の位置で支持体３３が係止されるには、第２貫通孔３３２に装着可能なアタッチメントを利用してもよい。アタッチメントは、引抜対象物を挿通可能な径、かつナット６よりも小さい径の孔を有する。これにより、アタッチメントは、ナット６に係止され、第２係止部３３４として機能してもよい。
【符号の説明】
【００７２】
１…引抜具、２…把持機構、３…伝達機構、４…アンカーボルト、５…固定ピン、６…ナット、２１…保持体、２２…第１部材、２３…第２部材、２４…カバー、３１…ネジ体、３２…ナット，３３…支持体、３３ａ…第１辺，３３ｂ…第２辺，３３ｃ…第３辺，３３ｄ…第４辺，４１…雄ネジ部、２１１…筒部、２１１ｂ…ガイド部、２１１ｃ…ハンドル孔、２１２…軸部、２１３…フランジ部、２１３ａ…貫通孔、２２１…雄ネジ部、２２２…把持部、２２３…摺動部、２２４…把持面，２３１…回転歯、２３２…雌ネジ部、３１１…結合部、３３１…第１貫通孔、３３２…第２貫通孔、３３３…第１係止部、３３４…第２係止部
【図１】
2013022692.tif 000003
【図２】
2013022692.tif 000004
【図３】
2013022692.tif 000005
【図４】
2013022692.tif 000006